(57)【要約】【課題】電源遮断時処理の確実な実行を可能としつつ、そのランニングコストを十分に低減し得る電子機器を提供する。【解決手段】電源を供給する電源部と、電源部から供給された電源によって蓄電されると共に少なくとも電源部による電源の供給が停止している状態において蓄電している電荷を放電する蓄電部と、電源部による電源の供給が停止したときに電源遮断時処理を実行する制御部とを備えた電子機器であって、蓄電部の劣化状態を判定するためのカウントデータＤ１（判定用データ）を記憶する記憶部を備え、制御部は、電源部による電源の供給が停止したときに、カウントデータＤ１を所定時間間隔で記憶部に記憶させる判定情報記録処理１０（データ記憶処理）を電源遮断時処理と並行して実行する。【選択図】図３
2008187860.tif 000002
【特許請求の範囲】
【請求項１】
電源を供給する電源部と、当該電源部から供給された前記電源によって蓄電されると共に少なくとも当該電源部による前記電源の供給が停止している状態において蓄電している電荷を放電する蓄電部と、前記電源部による前記電源の供給が停止したときに電源遮断時処理を実行する制御部とを備えた電子機器であって、
前記蓄電部の劣化状態を判定するための判定用データを記憶する記憶部を備え、
前記制御部は、前記電源部による前記電源の供給が停止したときに、前記判定用データを所定時間間隔で前記記憶部に記憶させるデータ記憶処理を前記電源遮断時処理と並行して実行する電子機器。
【請求項２】
前記制御部は、前記データ記憶処理の実行中において前記電源部による前記電源の供給が再開されたときに供給再開データを前記判定用データの一部として前記記憶部に記憶させる請求項１記載の電子機器。
【請求項３】
前記制御部は、前記電源遮断時処理を完了したときに処理完了データを前記判定用データの一部として前記記憶部に記憶させる請求項１または２記載の電子機器。
【請求項４】
前記記憶部に記憶されている前記判定用データに基づいて前記蓄電部の劣化状態を判定する判定部を備えている請求項１から３のいずれかに記載の電子機器。
【請求項５】
前記判定部による判定結果を報知する報知部を備えている請求項４記載の電子機器。
【発明の詳細な説明】
【技術分野】
【０００１】
本発明は、電源部による電源の供給が停止したときに蓄電している電荷を放電する蓄電部を備えている電子機器に関するものである。
【背景技術】
【０００２】
この種の電子機器として、蓄電部としてのコンデンサを備えて構成された停電処理装置が特開平１１−１９１９３７号公報に開示されている。この停電処理装置では、商用電源の停電時において、ＣＰＵが、コンデンサに蓄積されている電荷に基づく蓄電電圧によって作動して、データをバックアップする停電処理を実行する。したがって、この停電処理装置では、十分な容量のコンデンサを搭載することで、バックアップ電源などの別途の電源回路を備えることなく停電処理を実行することが可能となっている。
【特許文献１】特開平１１−１９１９３７号公報（第２，３頁、第１，２図）
【発明の開示】
【発明が解決しようとする課題】
【０００３】
ところが、従来の停電処理装置には、以下の問題点がある。すなわち、この停電処理装置では、停電時等において、ＣＰＵがコンデンサの蓄電電圧を作動電圧として作動して停電処理を実行する構成が採用されている。この場合、例えば、この停電処理装置においてバックアップ電源として利用されるコンデンサは、充放電を繰り返すことで次第に劣化して静電容量が低下し、その結果、十分な量の電荷を蓄電することができなくなる。このため、停電時においてＣＰＵが停電処理を完了するまでコンデンサから電荷を放電し続けることができなくなるおそれがある。したがって、停電処理を確実に行わせるためには、劣化したコンデンサを交換する必要がある。しかしながら、回路基板に実装された状態のコンデンサについて、その劣化状態を正確に認識するのが困難であるため、例えば、実際の劣化状態とは無関係にコンデンサを定期的に早めに交換する必要がある。このため、実際には交換を必要とするほど劣化が進行していないコンデンサであっても交換されることがあり、従来の停電装置には、コンデンサの不要な交換の分だけランニングコストが高騰しているという問題点がある。
【０００４】
本発明は、かかる問題点に鑑みてなされたものであり、電源遮断時処理の確実な実行を可能としつつ、そのランニングコストを十分に低減し得る電子機器を提供することを主目的とする。
【課題を解決するための手段】
【０００５】
上記目的を達成すべく請求項１記載の電子機器は、電源を供給する電源部と、当該電源部から供給された前記電源によって蓄電されると共に少なくとも当該電源部による前記電源の供給が停止している状態において蓄電している電荷を放電する蓄電部と、前記電源部による前記電源の供給が停止したときに電源遮断時処理を実行する制御部とを備えた電子機器であって、前記蓄電部の劣化状態を判定するための判定用データを記憶する記憶部を備え、前記電源部による前記電源の供給が停止したときに、前記制御部が、前記判定用データを所定時間間隔で前記記憶部に記憶させるデータ記憶処理を前記電源遮断時処理と並行して実行する。
【０００６】
また、請求項２記載の電子機器は、請求項１記載の電子機器において、前記制御部が、前記データ記憶処理の実行中において前記電源部による前記電源の供給が再開されたときに供給再開データを前記判定用データの一部として前記記憶部に記憶させる。
【０００７】
さらに、請求項３記載の電子機器は、請求項１または２記載の電子機器において、前記制御部が、前記電源遮断時処理を完了したときに処理完了データを前記判定用データの一部として前記記憶部に記憶させる。
【０００８】
また、請求項４記載の電子機器は、請求項１から３のいずれかに記載の電子機器において、前記記憶部に記憶されている前記判定用データに基づいて前記蓄電部の劣化状態を判定する判定部を備えている。
【０００９】
さらに、請求項５記載の電子機器は、請求項４記載の電子機器において、前記判定部による判定結果を報知する報知部を備えている。
【発明の効果】
【００１０】
請求項１記載の電子機器では、電源部による電源の供給が停止したときに、制御部が蓄電部の劣化状態を判定するための判定用データを所定時間間隔で記憶部に記憶させるデータ記憶処理を電源遮断時処理と並行して実行する。したがって、この電子機器によれば、コンデンサの劣化状態を検査するのが困難であることに起因して、その劣化状態の程度に拘わらずコンデンサを定期的に交換する必要のある従来の停電処理装置とは異なり、電源部からの電源の供給が停止した状態、すなわち、蓄電部から供給された電源によって作動している間に制御部によって所定時間間隔で記録された判定用データに基づき、電源の供給が停止した時点から制御部がどの程度の時間だけ動作し得るかを正確に特定することができる。この結果、この電子機器によれば、蓄電部の劣化状態（十分な量の電荷を蓄電し得るか否か）を正確かつ容易に特定することができる。このため、劣化していない蓄電部を新しい部品に交換する事態を回避することができるため、そのランニングコストを十分に低減することができる。
【００１１】
請求項２記載の電子機器では、データ記憶処理の実行中において電源部による電源の供給が再開されたときに制御部が供給再開データを判定用データの一部として記憶部に記憶させる。したがって、この電子機器によれば、電源部からの電源の供給再開に伴って制御部による判定用データの記憶処理が終了したことで、規定の状態を満たさない判定用データが記憶部に記憶されているときに、この判定用データに基づいて蓄電部を劣化していると誤って判定する事態を回避することができる。
【００１２】
請求項３記載の電子機器では、電源遮断時処理を完了したときに、制御部が処理完了データを判定用データの一部として記憶部に記憶させる。このため、この電子機器によれば、判定用データのデータ内容に基づき、電源遮断時処理を完了する以前に蓄電部からの電源の供給が停止したか否かを確実かつ容易に判定することができる。したがって、電源遮断時処理を完了する以前に蓄電部からの電源の供給が停止していると判定したときには、制御部による電源遮断時処理を完了するのに十分な量の電荷を蓄電部に蓄電することができないこと、つまり蓄電部が劣化していることを確実かつ容易に特定することができる。
【００１３】
請求項４記載の電子機器によれば、判定部が、記憶部に記憶されている判定用データに基づいて蓄電部の劣化状態を判定することにより、判定用データ等を外部装置に出力してそのデータ内容を検証することなく、電子機器自体で蓄電部の劣化状態を容易に判定させることができる。
【００１４】
請求項５記載の電子機器によれば、報知部が判定部による判定結果を報知することにより、例えば、蓄電部が正常に動作しない程度に劣化していること、蓄電部の交換時期であること、および蓄電部が正常状態であることを利用者に対して確実かつ容易に認識させることができる。
【発明を実施するための最良の形態】
【００１５】
以下、本発明に係る電子機器の最良の形態について、添付図面を参照して説明する。
【００１６】
図１に示す測定装置１は、本発明に係る電子機器の一例であって、電源部２、蓄電部３、タイマ４、表示部５、制御部６、記憶部７，８および図示しない測定部を備えて電圧値や電流値などの各種電気パラメータを測定可能に構成されている。電源部２は、例えば、１００Ｖの交流電源（商用交流）Ｖａを交流／直流変換することにより、一例として、５Ｖの直流電源Ｖｄを生成して電源ラインＬを介して測定装置１内の各部に供給する。また、電源部２は、交流電源Ｖａの遮断（例えば、電源プラグの抜け、または商用交流の停電時や、電源スイッチのオフ操作時など）に起因する直流電源Ｖｄの電圧低下を検出したときに（一例として、直流電源Ｖｄが４．５Ｖ未満となったときに）、電源断割込み信号Ｓ２ａを制御部６に出力する。さらに、電源部２は、交流電源Ｖａの供給再開（停電からの復帰時や、電源スイッチのオン操作時など）に伴う直流電源Ｖｄの電圧上昇を検出したとき（一例として、直流電源Ｖｄが４．５Ｖ以上となったとき）に、電源入割込み信号Ｓ２ｂを制御部６に出力する。
【００１７】
蓄電部３は、一例として、その容量が１０Ｆ程度のコンデンサで構成されて電源ラインＬに接続され、電源部２から４．５Ｖ以上の直流電源Ｖｄが電源ラインＬに供給されている通常状態において直流電源Ｖｄによって蓄電される。また、蓄電部３は、電源部２から供給されている直流電源Ｖｄの電圧が低下したとき（この例では、４．５Ｖ未満となったとき）に、蓄電した直流電源Ｖｄを測定装置１内の各部に電源ラインＬを介して供給する。なお、以下の説明においては、本発明についての理解を容易とするために、電源部２から供給される直流電源Ｖｄを「直流電源Ｖｄ１」とし、蓄電部３から供給される直流電源Ｖｄを「直流電源Ｖｄ２」とする。タイマ４は、例えば、１ｍｓの周期（本発明における「所定時間間隔」の一例）でタイマ割込み信号Ｓ１を制御部６に出力する。表示部５は、一例として、ＬＣＤ（Liquid Crystal Dispray）パネルを備えて構成され、制御部６の制御に従い、測定結果表示画面等の各種表示画面（図示せず）を表示する。
【００１８】
制御部６は、測定装置１を総括的に制御する。具体的には、制御部６は、通常状態において、直流電源Ｖｄ１を作動電圧として作動して測定処理等を実行する。また、制御部６は、電源部２から電源断割込み信号Ｓ２ａが出力されたときに（電源部２に対する交流電源Ｖａの供給が停止した電源遮断状態において）、蓄電部３からの直流電源Ｖｄ２を作動電圧として作動して、本発明における電源遮断時処理として、例えば記憶部７に記憶されている動作条件データＤ０などを記憶部８に待避させる（記憶させる）バックアップ処理を実行する。さらに、制御部６は、電源断割込み信号Ｓ２ａが出力されてからの経過時間をタイマ割込み信号Ｓ１に基づいて計測するカウンタ（図示せず）を備え、電源遮断時処理と並行して判定情報記録処理１０（本発明におけるデータ記憶処理：図３参照）を実行して、カウントデータＤ１などを記憶部８に記憶させる。
【００１９】
また、制御部６は、本発明における判定部に相当し、例えば測定装置１に対する電源投入時（測定装置１の起動時）において、後述する劣化状態判定処理２０（図４参照）を実行して、カウントデータＤ１、供給状態データＤ２および進行状況データＤ３に基づいて蓄電部３の劣化状態を判定する。さらに、制御部６は、表示部５と相俟って本発明における報知部を構成し、劣化状態判定処理２０による蓄電部３の劣化状態の判定結果等を表示部５にメッセージ表示させる。
【００２０】
記憶部７は、測定データや動作条件データＤ０を記憶するＲＡＭと、制御部６の動作プログラムなどを記憶するＲＯＭとを備えて構成されている（いずれも図示せず）。この場合、動作条件データＤ０は、例えば、測定処理の処理条件や、各種表示画面の表示条件等が記録されたデータであって、この測定装置１では、動作条件データＤ０に基づいて測定処理が実行されると共に、各種の表示画面が表示部５に表示される。したがって、測定装置１の動作停止に際しては、この動作条件データＤ０を記憶部８に待避させることにより、その後の電源投入時において、測定条件や表示条件等の再設定を行うことなく、測定処理等を開始することが可能となる。
【００２１】
記憶部８は、一例として、フラッシュメモリ等の不揮発性メモリで構成されて、上記の動作条件データＤ０や、本発明における判定用データなどを記憶する。この記憶部８には、図２に示すように、一例として、カウントデータＤ１を記憶する領域８ａと、供給状態データＤ２を記憶する領域８ｂと、進行状況データＤ３を記憶する領域８ｃと、動作条件データＤ０を記憶する領域８ｄとが規定されている。この場合、この例では、カウントデータＤ１、供給状態データＤ２および進行状況データＤ３が本発明における判定用データに相当する。
【００２２】
次に、測定装置１の動作原理について、添付図面を参照して説明する。
【００２３】
この測定装置１では、電源部２に対して交流電源Ｖａが供給されている通常状態において、電源部２が交流電源Ｖａを交流／直流変換して５Ｖの直流電源Ｖｄ１を生成し、生成した直流電源Ｖｄ１を電源ラインＬに供給する。これにより、供給された直流電源Ｖｄ１によって制御部６や測定部などが作動して、所定の測定処理が実行される。また、この測定装置１では、後述するように、測定装置１に対する電源投入時に実行される劣化状態判定処理２０の最終ステップにおいて、記憶部８の領域８ａ〜８ｃが初期化されている。具体的には、図５〜図８に示すように、領域８ａには、「カウント値＝０」がカウントデータＤ１として記録され、領域８ｂには、電源部２から直流電源Ｖｄ１が正常に供給されている旨を示す「Ｆ０」との符号が供給状態データＤ２として記録され、領域８ｃには、電源遮断時処理が実行されていない旨を示す「Ｅ０」との符号が進行状況データＤ３として記録されている。
【００２４】
また、通常状態においては、電源ラインＬに供給されている直流電源Ｖｄ１によって、蓄電部３がその劣化状態に応じた所定量まで蓄電される。この場合、蓄電部３の劣化が進行していない状態においては、電源部２による直流電源Ｖｄ１の供給が停止した時点から制御部６による電源遮断時処理が完了する時点まで電源ラインＬに直流電源Ｖｄ２を供給し得る量の電荷が蓄電部３に蓄電される。一方、測定装置１を長期間に亘って使用することで蓄電部３の劣化が進行した状態においては、蓄電部３に蓄電し得る電荷が減少して、電源遮断時処理が完了する時点まで電源ラインＬに直流電源Ｖｄ２をするのが困難な状態となる。
【００２５】
この場合、この測定装置１では、制御部６による電源遮断時処理（動作条件データＤ０等のバックアップ処理）に５ｍｓ程度の時間を必要とする。したがって、この測定装置１では、後述する劣化状態判定処理２０において、蓄電部３から直流電源Ｖｄ２を供給し得る時間が７ｍｓ以上のときに「蓄電部３が正常状態である」と判定し、蓄電部３から直流電源Ｖｄ２を供給し得る時間が６ｍｓ以上７ｍｓ未満のときに「電源遮断時処理の実行が可能であるものの、蓄電部３の劣化が進行して交換時期となっている」と判定し、蓄電部３から直流電源Ｖｄ２を供給し得る時間が６ｍｓ未満のとき（蓄電部３からの直流電源Ｖｄ２によって電源遮断時処理を完了するまで制御部６を作動させることができないとき）に「蓄電部３の劣化が進行して正常に動作しない状態（蓄電部が故障状態であって、電源遮断時処理を実行することができない状態）である」と判定する構成が採用されている。
【００２６】
一方、電源部２に対する交流電源Ｖａの供給が停止したときには、電源部２が制御部６に電源断割込み信号Ｓ２ａを出力する。この際に、電源部２から電源ラインＬに供給されている直流電源Ｖｄ１の電圧が低下することにより、蓄電部３に蓄電されている電荷が直流電源Ｖｄ２として電源ラインＬに供給される。これにより、制御部６等が直流電源Ｖｄ１に代えて直流電源Ｖｄ２を利用して作動状態を維持する。この際に、制御部６は、電源部２からの電源断割込み信号Ｓ２ａを入力して、図５〜８に示すように、電源遮断時処理を開始し、記憶部７に記憶されている動作条件データＤ０を読み出して、記憶部８の領域８ｄに待避させる（記憶させる）。
【００２７】
また、制御部６は、電源遮断時処理の開始と同時に、図３に示す判定情報記録処理１０を開始する。この判定情報記録処理１０では、制御部６は、まず、カウンタの値をリセットすると共に（ステップ１１）、タイマ４からのタイマ割込み信号Ｓ１に基づくカウントの開始して、カウント値に基づくカウントデータＤ１の生成および記憶部８（領域８ａ）への記録を開始する（ステップ１２）。この際に、制御部６は、図５〜８に示すように、カウンタによるカウント値が「１」のときには、領域８ａ内のカウントデータＤ１を「カウント値＝０」から「カウント値＝１」に更新し、カウンタによるカウント値が「２」のときには、領域８ａ内のカウントデータＤ１を「カウント値＝１」から「カウント値＝２」に更新する。
【００２８】
この後、制御部６は、蓄電部３からの直流電源Ｖｄ２の供給が停止するまで、或いは、電源部２からの直流電源Ｖｄ１の供給が再開されるまで、領域８ａ内のカウントデータＤ１の更新処理を継続して実行する。したがって、後述するようにして蓄電部３からの直流電源Ｖｄ２の供給が停止する以前に電源部２からの直流電源Ｖｄ１の供給が再開されなかったときには、蓄電部３によって電源ラインＬに直流電源Ｖｄ１が供給されている時間に応じたカウント値のカウントデータＤ１が記憶部８の領域８ａに記憶されることとなる。
【００２９】
また、制御部６は、図５〜８に示すように、電源部２による直流電源Ｖｄ１の供給が停止した旨を示す「Ｆ１」との符号の供給状態データＤ２で領域８ｂ内の供給状態データＤ２を更新する（ステップ１３）。さらに、制御部６は、電源遮断時処理を開始した旨を示す「Ｅ１」との符号の進行状況データＤ３で領域８ｃ内の進行状況データＤ３を更新する（ステップ１４）。次いで、制御部６は、電源遮断時処理を完了したか否かの判別（ステップ１５）と、電源部２による直流電源Ｖｄ１の供給が再開されたか否かの判別（ステップ１６）とを交互に繰り返して実行する。
【００３０】
この際に、制御部６は、図５に示すように、電源遮断時処理を完了したときに（ステップ１５）、電源遮断時処理を完了した旨を示す「Ｅ２」との符号の進行状況データＤ３（本発明における「処理完了データ」）で領域８ｃ内の進行状況データＤ３を更新する（ステップ１７）。また、蓄電部３の劣化が進行していない状態においては、電源遮断時処理に要した５ｍｓの後に例えば２ｍｓが経過した時点において、蓄電部３からの直流電源Ｖｄ２の供給が停止して測定装置１の各部の作動が停止する。この結果、この例では、「カウント値＝７」とのカウントデータＤ１が領域８ａに記録され、電源部２による直流電源Ｖｄ１の供給が停止した旨を示す「Ｆ１」との符号の供給状態データＤ２が領域８ｂに記録され、電源遮断時処理を完了した旨を示す「Ｅ２」との符号の進行状況データＤ３が領域８ｃに記録され、バックアップを必要とするすべての動作条件データＤ０が領域８ｄに記録された状態において、測定装置１の作動が停止することとなる。
【００３１】
これに対して、図６に示すように、蓄電部３の劣化が進行していることに起因して、電源遮断時処理を完了するのに先立って蓄電部３からの直流電源Ｖｄ２の供給が停止したとき（一例として、電源部２に対する交流電源Ｖａの供給停止時点から３ｍｓ程度の時間が経過した際に直流電源Ｖｄ２の供給が停止したとき）には、バックアップを必要とするすべての動作条件データＤ０が領域８ｄに記録される前に、測定装置１の作動が停止することとなる。また、この例では、「カウント値＝３」とのカウントデータＤ１が領域８ａに記録され、電源部２による直流電源Ｖｄ１の供給が停止した旨を示す「Ｆ１」との符号の供給状態データＤ２が領域８ｂに記録され、電源遮断時処理を開始した旨を示す「Ｅ１」との符号の進行状況データＤ３が領域８ｃに記録された状態において、測定装置１の作動が停止することとなる。
【００３２】
一方、図７に示すように、電源遮断時処理を完了して「Ｅ２」との符号の進行状況データＤ３で領域８ｃ内の進行状況データＤ３を更新した後に（ステップ１７）、蓄電部３からの直流電源Ｖｄ２の供給が停止する前の時点（一例として、電源遮断時処理の開始時点から６ｍｓが経過した時点）において電源部２から直流電源Ｖｄ１の供給が再開されたときに、制御部６は、電源部２から出力される電源入割込み信号Ｓ２ｂに基づき、電源供給が再開されたと判別する（ステップ１６）。この際には、電源部２から直流電源Ｖｄ１の供給が再開された旨を示す「Ｆ２」との符号の供給状態データＤ２（本発明における「供給再開データ」）で領域８ｂ内の供給状態データＤ２を更新し（ステップ１８）、この判定情報記録処理１０を終了する。この結果、この例では、「カウント値＝６」とのカウントデータＤ１が領域８ａに記録され、電源部２による直流電源Ｖｄ１の供給が再開した旨を示す「Ｆ２」との符号の供給状態データＤ２が領域８ｂに記録され、電源遮断時処理を完了した旨を示す「Ｅ２」との符号の進行状況データＤ３が領域８ｃに記録され、バックアップを必要とするすべての動作条件データＤ０が領域８ｄに記録された状態において、測定装置１が継続して作動することとなる。
【００３３】
また、図８に示すように、電源遮断時処理を完了する前の時点（一例として、電源遮断時処理の開始時点から３ｍｓが経過した時点）において、電源部２から直流電源Ｖｄ１の供給が再開されたときに、制御部６は、電源部２から出力される電源入割込み信号Ｓ２ｂに基づき、電源供給が再開されたと判別する（ステップ１６）。この際に、制御部６は、電源部２から直流電源Ｖｄ１の供給が再開された旨を示す「Ｆ２」との符号の供給状態データＤ２で領域８ｂ内の供給状態データＤ２を更新し（ステップ１８）、この判定情報記録処理１０を終了する。
【００３４】
また、制御部６は、一例として、電源遮断時処理を途中で終了させることなく完了させた時点において、「Ｅ２」との符号の進行状況データＤ３で記憶部８における領域８ｃ内の進行状況データＤ３を更新する。この結果、この例では、「カウント値＝３」とのカウントデータＤ１が領域８ａに記録され、電源部２による直流電源Ｖｄ１の供給が再開した旨を示す「Ｆ２」との符号の供給状態データＤ２が領域８ｂに記録され、電源遮断時処理を完了した旨を示す「Ｅ２」との符号の進行状況データＤ３が領域８ｃに記録され、バックアップを必要とするすべての動作条件データＤ０が領域８ｄに記録された状態において、測定装置１が継続して作動することとなる。
【００３５】
このように、この測定装置１では、電源部２による直流電源Ｖｄ１の供給停止時から供給再開までの時間や、蓄電部３の劣化状態に応じて、記憶部８の領域８ａ〜８ｃ内に各種の状態のカウントデータＤ１、供給状態データＤ２および進行状況データＤ３が記録されることとなる。したがって、このデータＤ１〜Ｄ３を記憶部８から読み出すことで、蓄電部３の劣化状態を正確かつ容易に判定することができる。この場合、この測定装置１では、一例として、電源投入時において、制御部６が図４に示す劣化状態判定処理２０を実行することで、記憶部８内のデータＤ１〜Ｄ３に基づく蓄電部３の劣化状態の判定を行い、その判定結果を表示部５に表示させる構成が採用されている。
【００３６】
具体的には、この劣化状態判定処理２０では、制御部６は、まず、記憶部８の領域８ａ〜８ｃからカウントデータＤ１、供給状態データＤ２および進行状況データＤ３を読み出す（ステップ２１）。次いで、制御部６は、読み出した供給状態データＤ２のデータ内容（符号）の種別を判別する（ステップ２２）。この際に、読み出した供給状態データＤ２が「Ｆ０」との符号を示しているとき、すなわち、前回の電源投入時から電源遮断時（スイッチ操作による正常な電源遮断時）までの間において電源部２から直流電源Ｖｄ１が正常に供給されていたとき（交流電源Ｖａの供給停止が発生しなかったとき）には、蓄電部３の劣化状態を判定し得る有効な判定用データ（カウントデータＤ１等）が記憶部８に記憶されていないこととなる。したがって、制御部６は、蓄電部３の劣化状態の判定が不能と判定する（ステップ２３）。
【００３７】
次いで、制御部６は、記憶部８における領域８ａ〜８ｃを初期化する（ステップ２４）。具体的には、制御部６は、「カウント値＝０」とのカウントデータＤ１を領域８ａに記録し、電源部２から直流電源Ｖｄ１が正常に供給されている旨を示す「Ｆ０」との符号の供給状態データＤ２を領域８ｂに記録し、電源遮断時処理が実行されていない旨を示す「Ｅ０」との符号の進行状況データＤ３を領域８ｃに記録することで領域８ａ〜８ｃを初期化する。この後、初期化が完了した時点において、制御部６は、この判定情報記録処理１０を終了する。
【００３８】
また、読み出した供給状態データＤ２が「Ｆ２」との符号を示しているとき、すなわち、図７に示すように、電源遮断時処理が完了した後に蓄電部３からの直流電源Ｖｄ２の供給が停止する以前に電源部２からの直流電源Ｖｄ１の供給が再開されたとき、または、図８に示すように、電源遮断時処理が完了する以前に電源部２からの直流電源Ｖｄ１の供給が再開されたときには、制御部６は、記憶部８に記憶されているカウントデータＤ１に基づく蓄電部３の劣化状態の判定が不能と判定し（ステップ２３）、領域８ａ〜８ｃを初期化した後に（ステップ２４）、この判定情報記録処理１０を終了する。
【００３９】
この場合、図７に示す状態においては、領域８ａに記憶されているカウントデータＤ１（この例では、「カウント値＝６」）に基づき、蓄電部３から少なくとも６ｍｓに亘って直流電源Ｖｄ２が供給されていたことが認識される。しかしながら、蓄電部３が７ｍｓ以上に亘って直流電源Ｖｄ２を供給し得る程度の劣化状態であるか否かをこのカウントデータＤ１に基づいて判定することは困難である。また、図８に示す状態においては、領域８ａに記憶されているカウントデータＤ１（この例では、「カウント値＝３」）に基づき、蓄電部３から少なくとも３ｍｓに亘って直流電源Ｖｄ２が供給されていたことが認識される。しかしながら、蓄電部３が６ｍｓ以上に亘って直流電源Ｖｄ２を供給し得る程度の状態であるか否か（蓄電部３が正常状態、交換が必要な状態、および正常に動作しない状態（故障状態）のいずれの状態であるか）をこのカウントデータＤ１に基づいて判定することは困難である。このため、制御部６は、上記したように、「Ｆ２」との符号の供給状態データＤ２が領域８ｂに記憶されているときに、カウントデータＤ１に基づく蓄電部３の劣化状態の判定を不能と判定する。
【００４０】
一方、読み出した供給状態データＤ２が「Ｆ１」との符号を示しているとき、すなわち、図５，６に示すように、電源部２からの直流電源Ｖｄ１の供給が停止して蓄電部３から直流電源Ｖｄ２が供給されている状態において直流電源Ｖｄ１の供給が再開されることなく、蓄電部３からの直流電源Ｖｄ２の供給が停止したときには、制御部６は、領域８ｃに記憶されている進行状況データＤ３のデータ内容（符号）の種別を判別する（ステップ２５）。この際に、進行状況データＤ３が「Ｅ１」との符号を示しているとき、すなわち、電源部２からの直流電源Ｖｄ１の供給が停止して蓄電部３から直流電源Ｖｄ２が供給されている状態において、電源遮断時処理を完了することなく、蓄電部３からの直流電源Ｖｄ２の供給が停止したときには、制御部６による電源遮断時処理が完了するまで電源ラインＬに直流電源Ｖｄ２を供給し得る程度の電荷を蓄電部３に蓄電することができないため、蓄電部３を新たな部品に交換する必要がある（蓄電部３が故障状態である）と判定する（ステップ２６）。この際に、制御部６は、一例として「バックアップができませんでした。バックアップ電源用の部品を交換する必要があります。」とのメッセージを表示部５に表示させ（本発明における判定結果の報知の一例：ステップ２７）、記憶部８の領域８ａ〜８ｃを初期化して（ステップ２４）、この判定情報記録処理１０を終了する。
【００４１】
これに対して、進行状況データＤ３が「Ｅ２」との符号を示しているとき、すなわち、電源部２からの直流電源Ｖｄ１の供給が停止して蓄電部３から直流電源Ｖｄ２が供給されている状態において、電源遮断時処理を正常に完了したときには、制御部６は、カウントデータＤ１のカウント値が規定値以上であるか否かを判別する（ステップ２８）。この際に、図５に示すように、領域８ａに記録されているカウントデータＤ１が規定値（一例として、「カウント値＝７」）以上のカウント値（この例では、規定値と等しい「カウント値＝７」）であるときに、制御部６は、電源遮断時処理を完了するまで電源ラインＬに直流電源Ｖｄ２を十分に供給し得る程度の電荷を蓄電部３に蓄電することができる正常状態であると判定する（ステップ２９）。この際に、制御部６は、一例として「電源遮断が発生しましたが、動作条件データは正常にバックアップされました。」とのメッセージを表示部５に表示させ（本発明における判定結果の報知の他の一例：ステップ２７）、記憶部８の領域８ａ〜８ｃを初期化して（ステップ２４、この判定情報記録処理１０を終了する。
【００４２】
また、領域８ａに記録されているカウントデータＤ１が規定値未満のカウント値（一例として、「カウント値＝６」）であるときに、制御部６は、電源遮断時処理を完了するまで電源ラインＬに直流電源Ｖｄ２を供給し得る程度の電荷を蓄電部３に蓄電することができるものの、その劣化が進行しており、交換時期であると判定する（ステップ３０）。この際に、制御部６は、一例として「電源遮断が発生しましたが、動作条件データは正常にバックアップされました。なお、バックアップ電源用の部品を交換する必要があります。」とのメッセージを表示部５に表示させ（本発明における判定結果の報知のさらに他の一例：ステップ２７）、記憶部８の領域８ａ〜８ｃを初期化して（ステップ２４）、この判定情報記録処理１０を終了する。
【００４３】
このように、この測定装置１では、電源部２による直流電源Ｖｄ１の供給が停止したときに、制御部６が蓄電部３の劣化状態を判定するための判定用データ（この例では、カウントデータＤ１）を所定時間間隔（この例では、１ｍｓ間隔）で記憶部８に記憶させる判定情報記録処理１０（本発明におけるデータ記憶処理）を電源遮断時処理と並行して実行する。したがって、この測定装置１によれば、コンデンサの劣化状態を検査するのが困難であることに起因して、その劣化状態の程度に拘わらずコンデンサを定期的に交換する必要のある従来の停電処理装置とは異なり、電源部２からの直流電源Ｖｄ１の供給が停止した状態、すなわち、蓄電部３から供給された直流電源Ｖｄ２によって作動している間に制御部６によって所定時間間隔（この例では、１ｍｓ）で記録された（更新された）カウントデータＤ１に基づき、直流電源Ｖｄ１の供給が停止した時点から制御部６がどの程度の時間だけ動作し得るかを正確に特定することができる。この結果、この測定装置１によれば、蓄電部３の劣化状態（十分な量の電荷を蓄電し得るか否か）を正確かつ容易に特定することができる。このため、劣化していない蓄電部３を新しい部品に交換する事態を回避することができるため、そのランニングコストを十分に低減することができる。
【００４４】
また、この測定装置１では、判定情報記録処理１０の実行中において電源部２による直流電源Ｖｄ１の供給が再開されたときに制御部６が「Ｆ２」との符号の供給状態データＤ２（本発明における供給再開データ）を本発明における判定用データの一部としてカウントデータＤ１と共に記憶部８に記憶させる。したがって、この測定装置１によれば、電源部２からの直流電源Ｖｄ１の供給再開に伴って制御部６によるカウントデータＤ１の更新が終了したことで、規定値以下のカウントデータＤ１が記憶部８に記憶されているときに、このカウントデータＤ１に基づいて蓄電部３を劣化していると誤って判定する事態を回避することができる。
【００４５】
さらに、この測定装置１では、電源遮断時処理を完了したときに、制御部６が「Ｅ２」との符号の進行状況データＤ３（本発明における処理完了データ）を本発明における判定用データの一部としてカウントデータＤ１と共に記憶部８に記憶させる。このため、この測定装置１によれば、進行状況データＤ３のデータ内容に基づき、電源遮断時処理を完了する以前に蓄電部３からの直流電源Ｖｄ２の供給が停止したか否かを確実かつ容易に判定することができる。したがって、電源遮断時処理を完了する以前に蓄電部３からの直流電源Ｖｄ２の供給が停止していると判定したときには、制御部６による電源遮断時処理を完了するのに十分な量の電荷を蓄電部３に蓄電することができないこと、つまり蓄電部３が劣化していることを確実かつ容易に特定することができる。
【００４６】
また、この測定装置１によれば、制御部６が記憶部８に記憶されているカウントデータＤ１等に基づいて蓄電部３の劣化状態を判定することにより、カウントデータＤ１等を外部装置に出力してそのデータ内容を検証することなく、測定装置１自体で蓄電部３の劣化状態を容易に判定させることができる。
【００４７】
さらに、この測定装置１によれば、報知部（この例では、制御部６および表示部５）が制御部６による判定結果を報知することにより、例えば、蓄電部３が正常に動作しない程度に劣化している（故障状態である）こと、蓄電部３の交換時期であること、および蓄電部３が正常状態であることを利用者に対して確実かつ容易に認識させることができる。
【００４８】
なお、本発明は、上記の構成に限定されない。例えば、本発明に係る電子機器の一例である測定装置１について説明したが、本発明はこれに限定されず、測定装置以外の各種の電子機器において本発明に係る電子機器の構成を採用することができる。また、本発明における電源部としての電源部２を備えた測定装置１について説明したが、本発明における電源部の構成は、交流電源Ｖａから直流電源Ｖｄ１を生成する電源部に限定されるものではなく、例えば、一次電池または二次電池で電源部を構成して直流電源Ｖｄ１を電源ラインＬに供給する構成を採用することができる。さらに、本発明における蓄電部としてのコンデンサを備えた蓄電部３を有する測定装置１について説明したが、本発明における蓄電部の構成はこれに限定されず、コンデンサに代えて、例えば二次電池を搭載して蓄電部として機能させる構成を採用することができる。
【００４９】
また、上記の測定装置１では、本発明における判定用データとしてのカウントデータＤ１を制御部６のカウンタによるカウント値に基づいて所定時間間隔（この例では、１ｍｓ間隔）で更新する構成を採用しているが、本発明における判別用データの記録方法はこれに限定されず、記憶部８内のカウントデータＤ１を更新することなく、カウンタによって１カウントされる都度、新たなカウントデータＤ１を追記する記録方法を採用することができる。このような方法でカウントデータＤ１を記録した場合、一例として、カウントデータＤ１の数によって蓄電部３からの直流電源Ｖｄ２の供給時間を特定することができる。したがって、上記の測定装置１と同様にして、直流電源Ｖｄ１の供給が停止した時点から制御部６がどの程度の時間だけ動作し得るかを正確に特定することができる結果、蓄電部３の劣化状態を正確かつ容易に特定することができる。
【００５０】
さらに、本発明における報知部としての制御部６および表示部５を備えて判定結果をメッセージ表示する例について説明したが、本発明における報知部の構成はこれに限定されず、例えば、インジケータの点灯や点滅によって蓄電部３の劣化状態を報知する構成や、音声によって蓄電部３の劣化状態を報知する構成を採用することができる。また、本発明における記憶部は、上記の測定装置１における記憶部８のようなフラッシュメモリに限定されず、ＳＲＡＭなどの不揮発性メモリや、光ディスクドライブ、光磁気ディスクドライブおよびハードディスクドライブ等の各種記録再生装置を記憶部として搭載することができる。
【図面の簡単な説明】
【００５１】
【図１】測定装置１の構成を示すブロック図である。
【図２】記憶部８内の領域の構成例を示すメモリマップである。
【図３】判定情報記録処理１０のフローチャートである。
【図４】劣化状態判定処理２０のフローチャートである。
【図５】蓄電部３が十分な電荷を蓄電し得る状態における測定装置１の各部の動作について説明するためのタイミングチャートである。
【図６】蓄電部３が十分な電荷を蓄電することができない状態における測定装置１の各部の動作について説明するためのタイミングチャートである。
【図７】蓄電部３からの直流電源Ｖｄ２の供給状態において電源部２からの直流電源Ｖｄ１の供給が再開されたときの測定装置１の各部の動作について説明するためのタイミングチャートである。
【図８】電源遮断時処理が完了する以前に電源部２からの直流電源Ｖｄ１の供給が再開されたときの測定装置１の各部の動作について説明するためのタイミングチャートである。
【符号の説明】
【００５２】
１  測定装置
２  電源部
３  蓄電部
４  タイマ
５  表示部
６  制御部
７，８  記憶部
８ａ〜８ｄ  領域
１０  判定情報記録処理
２０  劣化状態判定処理
Ｄ０  動作条件データ
Ｄ１  カウントデータ
Ｄ２  供給状態データ
Ｄ３  進行状況データ
Ｌ  電源ライン
Ｓ１  タイマ割込み信号
Ｓ２ａ  電源断割込み信号
Ｓ２ｂ  電源入割込み信号
Ｖａ  交流電源
Ｖ，Ｖｄ１，Ｖｄ２  直流電源
【図１】
2008187860.tif 000003
【図２】
2008187860.tif 000004
【図３】
2008187860.tif 000005
【図４】
2008187860.tif 000006
【図５】
2008187860.tif 000007
【図６】
2008187860.tif 000008
【図７】
2008187860.tif 000009
【図８】
2008187860.tif 000010